(57)【要約】      （修正有）【課題】特定の機能を実行する操作として、物理ボタンによる操作は無効だが、タッチ操作が有効な場合、タッチ操作のみ有効であることを表現する。【解決手段】第１の状態においては、特定の操作部材に対する操作と、表示部の特定の領域に対するタッチとの何れに応じても特定の機能を実行し、第２の状態においては、前記特定の操作部材に対する操作に応じては前記特定の機能を実行することなく、前記特定の領域に対するタッチに応じて前記特定の機能を実行するように制御する制御手段と、前記第１の状態において、前記特定の操作部材を表す第１の表示オブジェクトと前記特定の機能の内容を表す第２の表示オブジェクトよりなるタッチアイコンを第１の表示形態で表示し、前記第２の状態においては、前記タッチアイコンを第２の表示形態で表示するように制御する表示制御手段とを有する。【選択図】図４
2014235506.tif 000002
【特許請求の範囲】
【請求項１】
表示部へのタッチ操作を検知するタッチ検知手段と、
第１の状態においては、特定の操作部材に対する操作と、前記表示部の特定の領域に対するタッチとの何れに応じても特定の機能を実行するように制御し、
第２の状態においては、前記特定の操作部材に対する操作に応じては前記特定の機能を実行することなく、前記特定の領域に対するタッチに応じて前記特定の機能を実行するように制御する制御手段と、
前記第１の状態において、前記特定の操作部材を表す第１の表示オブジェクトと前記特定の機能の内容を表す第２の表示オブジェクトよりなるタッチアイコンを第１の表示形態で前記表示部の前記特定の領域に表示するように制御し、
前記第２の状態において、前記タッチアイコンを第２の表示形態で前記表示部の特定の領域に表示するように制御する表示制御手段と
を有することを特徴とする表示制御装置。
【請求項２】
前記第１の表示形態と第２の表示形態とでは、前記タッチアイコンのうち、前記第１の表示オブジェクトの表示形態が異なり、前記第２の表示オブジェクトの表示形態は同一であることを特徴とする請求項１に記載の表示制御装置。
【請求項３】
前記制御手段は、前記第２の状態においては、前記特定の操作部材に対する操作に応じて前記特定の機能とは異なる機能を実行するように制御する請求項１または２に記載の表示制御装置。
【請求項４】
前記表示制御手段は、第２の状態において、前記特定の操作部材が操作されたことに応じて、前記タッチアイコンのうち、前記第１の表示オブジェクトを非表示とするように制御することを特徴とする請求項１乃至３のいずれか１項に記載の表示制御装置。
【請求項５】
前記表示制御手段は、前記第２の状態において、前記特定の操作部材が操作されたことに応じて、前記特定の機能はタッチ操作に応じてのみ実行される旨のガイダンスを表示するように制御することを特徴とする請求項１乃至４のいずれか１項に記載の表示制御装置。
【請求項６】
前記表示制御手段は、前記ガイダンスを、前記特定の操作部材が連続的に操作された場合にのみ表示するように制御することを特徴とする請求項５に記載の表示制御装置。
【請求項７】
特定の操作部材は、方向を指示する操作部材であり、前記第１の状態は、画像の全体を表示した状態であり、前記第２の状態は、画像の一部範囲を表示した状態であり、
前記第２の状態においては、前記特定の操作部材の操作に応じて表示されている画像の範囲を変更することを特徴とする請求項１乃至６の何れか１項に記載の表示制御装置。
【請求項８】
前記表示制御装置は、撮像手段を有する撮像装置であることを特徴とする請求項１乃至７の何れか１項に記載の表示制御装置。
【請求項９】
表示部へのタッチ操作を検知するタッチ検知ステップと、
第１の状態においては、特定の操作部材に対する操作と、前記表示部の特定の領域に対するタッチとの何れに応じても特定の機能を実行するように制御し、
第２の状態においては、前記特定の操作部材に対する操作に応じては前記特定の機能を実行することなく、前記特定の領域に対するタッチに応じて前記特定の機能を実行するように制御する制御ステップと、
前記第１の状態において、前記特定の操作部材を表す第１の表示オブジェクトと前記特定の機能の内容を表す第２の表示オブジェクトよりなるタッチアイコンを第１の表示形態で前記表示部の前記特定の領域に表示するように制御し、
前記第２の状態において、前記タッチアイコンを第２の表示形態で前記表示部の特定の領域に表示するように制御する表示制御ステップと
を有することを特徴とする表示制御装置の制御方法。
【請求項１０】
コンピュータを、請求項１乃至８のいずれか１項に記載された表示制御装置の各手段として機能させるためのプログラム。
【請求項１１】
コンピュータを、請求項１乃至８のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置に関し、特にタッチ操作と物理ボタンによる操作が可能な表示制御装置及びその制御方法に関するものである。
【背景技術】
【０００２】
従来、物理ボタンのイメージに対応したソフトボタンをタッチパネルに表示し、物理ボタンの押下またはソフトボタンのタッチ操作のいずれかで操作を行う技術が特許文献１に開示されている。
【先行技術文献】
【特許文献】
【０００３】
【特許文献１】特開２００３−１２２４８８号公報
【発明の概要】
【発明が解決しようとする課題】
【０００４】
しかしながら、上述の特許文献に開示された従来技術では、物理ボタンによる操作は無効だが、タッチ操作が有効な状態を表現できない。
【０００５】
そこで、本発明の目的は、特定の機能を実行する操作として、物理ボタンによる操作は無効だが、タッチ操作が有効な場合、タッチ操作のみ有効であることを表現できる表示制御装置を提供することである。
【課題を解決するための手段】
【０００６】
上記目的を達成するために、本発明は、
表示部へのタッチ操作を検知するタッチ検知手段と、
第１の状態においては、特定の操作部材に対する操作と、前記表示部の特定の領域に対するタッチとの何れに応じても特定の機能を実行するように制御し、
第２の状態においては、前記特定の操作部材に対する操作に応じては前記特定の機能を実行することなく、前記特定の領域に対するタッチに応じて前記特定の機能を実行するように制御する制御手段と、
前記第１の状態において、前記特定の操作部材を表す第１の表示オブジェクトと前記特定の機能の内容を表す第２の表示オブジェクトよりなるタッチアイコンを第１の表示形態で前記表示部の前記特定の領域に表示するように制御し、
前記第２の状態において、前記タッチアイコンを第２の表示形態で前記表示部の特定の領域に表示するように制御する表示制御手段と
を有することを特徴とする。
【発明の効果】
【０００７】
本発明によれば、特定の機能を実行する操作として、物理ボタンによる操作は無効だが、タッチ操作が有効な場合、タッチ操作のみ有効であることを表現できる表示制御装置を提供することができる。
【図面の簡単な説明】
【０００８】
【図１】本発明の実施形態に係る表示制御装置の外観図である。
【図２】本発明の実施形態に係る表示制御装置の構成ブロック図である。
【図３】タッチアイコン兼キーガイドの状態・操作部材に応じた表示例である。
【図４】タッチアイコン兼キーガイドの画像の状態に応じた表示例である。
【図５】画像全体を表示した場合における、転送画像選択処理のフローチャートである。
【図６】画像を拡大表示した場合における、転送画像選択処理のフローチャートである。
【発明を実施するための形態】
【０００９】
以下、図面を参照して本発明の好適な実施形態を説明する。
【００１０】
図１（ａ）、（ｂ）に本発明の撮像装置の一例としてのデジタルカメラの外観図を示す。図１（ａ）はデジタルカメラ１００の前面斜視図であり、図１（ｂ）はデジタルカメラ１００の背面斜視図である。図１において、表示部２８は画像や各種情報を表示する表示部である。シャッターボタン６１は撮影指示を行うための操作部である。モード切替スイッチ６０は各種モードを切り替えるための操作部である。電子ダイヤル７１は操作部７０に含まれる回転操作部材であり、この電子ダイヤル７１を回すことで、シャッター速度や絞りなどの設定値の変更等、選択枠の移動や画像送りなどを行える。電源スイッチ７２はデジタルカメラ１００の電源のＯＮ及びＯＦＦを切り替える操作部材である。十字キー７４は操作部７０に含まれ、上、下、左、右部分をそれぞれ押し込み可能な十字キー（４方向キー）である。十字キー７４の押した部分に応じた操作が可能であり、画像送りや拡大位置の移動を行なうことができる。以下、十字キーの上、下、左、右部分の押し込み可能な部分を、それぞれ上ボタン、下ボタン、左ボタン、右ボタンと称するものとする。本実施形態では上ボタン、下ボタン、左ボタン、右ボタンが同一の操作部材である十字キー７４の一部分であるものとして説明するが、それぞれ別体の押しボタンスイッチとして構成しても良い。また、上ボタンと下ボタンを総称して上下ボタン、左ボタンと右ボタンを総称して左右ボタンと称するものとする。ＳＥＴボタン７５は操作部７０に含まれ、押しボタンであり、主に選択項目の決定などに用いられる。録画ボタン７６は操作部７０に含まれ、動画撮影モードにおいては、動画撮影（記録）の開始、停止の指示に用いられる。撮影モード中に再生ボタン７９を押下することで再生モードに移行し、記録媒体２００に記録された画像のうち最新の画像を表示部２８に表示させることができる。通信端子１０はデジタルカメラ１００がレンズ側（着脱可能）と通信を行う為の通信端子である。蓋２０２は記録媒体２００を格納したスロットの蓋である。グリップ部９０は、ユーザーがデジタルカメラ１００を構えた際に右手で握りやすい形状とした保持部である。
【００１１】
図２は、本実施形態によるデジタルカメラ１００の構成例を示すブロック図である。
【００１２】
図２において、レンズユニット１５０は、交換可能な撮影レンズを搭載するレンズユニットである。
【００１３】
レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。レンズユニット１５０は、通信端子６，１０を介してシステム制御部５０と通信し、内部のレンズシステム制御回路４によって絞り駆動回路２を介して絞り１０２の制御を行い、ＡＦ駆動回路３を介して、レンズ１０３の位置を変位させることで焦点を合わせる。
【００１４】
ＡＥセンサー１７は、レンズユニット１５０を通した被写体の輝度を測光する。
【００１５】
シャッター１０１は、システム制御部５０の制御で撮像部２２の露光時間を自由に制御できるフォーカルプレーンシャッターである。
【００１６】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１７】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１８】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。
【００１９】
また、メモリ３２は画像表示用のメモリ（ビデオメモリ）を兼ねている。Ｄ／Ａ変換器１９は、メモリ３２に格納されている画像表示用のデータをアナログ信号に変換して表示部２８に供給する。こうして、メモリ３２に書き込まれた表示用の画像データはＤ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、電子ビューファインダとして機能し、スルー画像表示（ライブビュー表示）を行える。
【００２０】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２１】
システム制御部５０は、デジタルカメラ１００全体を制御する。前述した不揮発性メモリ５６に記録されたプログラムを実行することで、後述する本実施形態の各処理を実現する。５２はシステムメモリであり、ＲＡＭが用いられる。システムメモリ５２には、システム制御部５０の動作用の定数、変数、不揮発性メモリ５６から読み出したプログラム等を展開する。また、システム制御部はメモリ３２、Ｄ／Ａ変換器１９、表示部２８等を制御することにより表示制御も行う。
【００２２】
システムタイマー５３は各種制御に用いる時間や、内蔵された時計の時間を計測する計時部である。
【００２３】
モード切替スイッチ６０、第１シャッタースイッチ６２、第２シャッタースイッチ６４、操作部７０はシステム制御部５０に各種の動作指示を入力するための操作手段である。
【００２４】
モード切替スイッチ６０は、システム制御部５０の動作モードを静止画記録モード、動画記録モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。モード切替スイッチ６０で、静止画撮影モードに含まれるこれらのモードのいずれかに直接切り替えられる。あるいは、モード切替スイッチ６０で静止画撮影モードに一旦切り換えた後に、静止画撮影モードに含まれるこれらのモードのいずれかに、他の操作部材を用いて切り替えるようにしてもよい。同様に、動画撮影モードにも複数のモードが含まれていてもよい。第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００２５】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００２６】
操作部７０は、ユーザーからの操作を受け付ける入力部としての各種操作部材である。操作部７０には、少なくとも以下の操作部が含まれる。電子ダイヤル７１、メニューボタン７３、十字キー７４、ＳＥＴボタン７５、録画ボタン７６、再生ボタン７９。
【００２７】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタン７３が押されると各種の設定可能なメニュー画面が表示部２８に表示される。利用者は、表示部２８に表示されたメニュー画面と、上下左右の十字キー７４やＳＥＴボタン７５とを用いて直感的に各種設定を行うことができる。
【００２８】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００２９】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３０】
通信部５４は、無線または優先ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信することができる。
【００３１】
姿勢検知部５５は重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録することが可能である。姿勢検知部５５としては、加速度センサーやジャイロセンサーなどを用いることができる。
【００３２】
なお操作部７０の一つとして、表示部２８に対する接触を検知可能な（タッチ検知可能な）タッチパネルを有する。タッチパネルと表示部２８とは一体的に構成することができる。例えば、タッチパネルを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザーが表示部２８上に表示された画面を直接的に操作可能であるかのようなＧＵＩ（グラフィカルユーザーインターフェース）を構成することができる。システム制御部５０はタッチパネルへの以下の操作、あるいは状態を検出できる。
【００３３】
・タッチパネルを指やペンで触れたこと（以下、タッチダウン（Ｔｏｕｃｈ−Ｄｏｗｎ）と称する）。
・タッチパネルを指やペンで触れている状態であること（以下、タッチオン（Ｔｏｕｃｈ−Ｏｎ）と称する）。
・タッチパネルを指やペンで触れたまま移動していること（以下、タッチムーブ（Ｔｏｕｃｈ−Ｍｏｖｅ）と称する）。
・タッチパネルへ触れていた指やペンを離したこと（以下、タッチアップ（Ｔｏｕｃｈ−Ｕｐ）と称する）。
・タッチパネルに何も触れていない状態（以下、タッチオフ（Ｔｏｕｃｈ−Ｏｆｆ）と称する）。
【００３４】
これらの操作・状態や、タッチパネル上に指やペンが触れている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。またタッチパネル上をタッチダウンから一定のタッチムーブを経てタッチアップをしたとき、ストロークを描いたこととする。素早くストロークを描く操作をフリックと呼ぶ。フリックは、タッチパネル上に指を触れたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。同時にタッチパネルの複数の位置に触れても、それぞれ位置座標の動きを検出できる。特に２点の移動について、２点が近づく方向にタッチムーブすることをピンチイン、遠ざかる方向にタッチムーブすることをピンチアウトと呼ぶ。タッチパネルは、抵抗膜方式や静電容量方式、表面弾性波方式、赤外線方式、電磁誘導方式、画像認識方式、光センサー方式等、様々な方式のタッチパネルのうちいずれの方式のものを用いても良い。
【００３５】
［実施例１］
以下、図３から６を参照して、本発明の第１の実施例による、動作について説明する。
【００３６】
図３（ａ）〜（ｄ）はタッチ操作のためのタッチアイコンと、物理ボタン操作のためのキーガイドを兼ねたアイコンの表示例である。
【００３７】
図３（ａ）はタッチ操作も物理ボタン操作も有効な場合のチェック入切アイコン３０１の表示である。チェックマークを模した表示オブジェクトであるチェックマークオブジェクト３０３の表示により、チェック入切アイコン３０１がチェックの入切に関するものであることを表している。また、ＳＥＴボタンオブジェクト３０２の表示によりＳＥＴボタン７５を押すこと（物理ボタン操作）で、チェック入切を行えることを表している。すなわち、チェック入切アイコン３０１はチェックの入切の機能が割り当てられたアイコンである。これによってユーザーは、チェック入切アイコン３０１へのタッチ操作か、ＳＥＴボタン７５の押下でチェックの入切が行えることがわかる。
【００３８】
図３（ｂ）はタッチ操作も物理ボタン操作も無効な場合のチェック入切アイコン３０１の表示例である。チェック入の数が上限に達したなど、これ以上チェック入にできない状態になった場合に表示することがある。ＳＥＴボタンオブジェクト３０４とチェックマークオブジェクト３０５の表示形態が、有効な場合のＳＥＴボタンオブジェクト３０２とチェックマークオブジェクト３０３の表示形態と異なり、グレーで表示されている（グレーアウトされている）。物理ボタンに関するＳＥＴボタンオブジェクト３０４の表示がグレーアウトされていることから、物理ボタンであるＳＥＴボタン７５での操作が行えない（押下してもチェック入切の処理は実行されない）ことを表している。また、チェックマークオブジェクト３０５の表示がグレーアウトされていることから、タッチ操作を行ってもチェックの入切の処理が実行されないことを表している。
【００３９】
図３（ｃ）はアイコンに割り当てられた機能を行うための物理ボタンが上ボタンである場合で、タッチ操作も物理ボタン操作も有効な場合のアイコン３１０の表示例である。アイコン３１０に割り当てられた機能の内容を示す表示オブジェクトであるＯＫオブジェクト３０７の表示により、アイコン３１０がＯＫの機能（処理の実行指示の機能）に関するものであることを表している。また、上ボタンオブジェクト３０６の表示により、上ボタンを押すこと（物理ボタン操作）で、ＯＫの指示を出せることを表している。すなわち、アイコン３１０はＯＫの機能（処理の実行指示の機能）が割り当てられたアイコンである。これによってユーザーは、アイコン３１０へのタッチ操作か、上ボタンの押下でＯＫの機能（処理の実行指示）を行えることがわかる。
【００４０】
図３（ｄ）はタッチ操作は有効だが、物理ボタン操作は無効の場合のアイコン３１０の表示例である。上ボタンオブジェクト３０８の表示形態が、有効な場合の上ボタンオブジェクト３０６の表示形態と異なり、グレーで表示されている（グレーアウトされている）。物理ボタンに関する上ボタンオブジェクト３０６の表示がグレーアウトされていることから、物理ボタンである上ボタンでの操作が行えない（押下してもＯＫの処理は実行されない）ことを表している。また、ＯＫオブジェクト３０９の表示はＯＫオブジェクト３０７の表示形態と同じであり、グレーアウトされていないことから、アイコン３１０にタッチ操作を行った場合はＯＫの処理が実行されることを表している。タッチパネルを有する装置では物理ボタンの数が少ないことがあり、物理ボタン操作でアイコンに対応する機能と同じ機能を実行できない場合があるため、このような状態が発生することがある。
【００４１】
図４（ａ）〜（ｃ）に、デジタルカメラ１００から外部装置に転送する画像をユーザーが選択するための画面である、表示部２８における転送画像選択画面の表示例を示す。
【００４２】
図４（ａ）は転送する画像が１つも選択されていない場合の表示例である。
【００４３】
チェックボックス４０１はチェック切の時のチェックボックスの表示例であり、チェックマークを表示しないことで、表示されている画像が転送する画像として選択されていないことを表している。また、他の画像も転送される画像として選択されていないため、転送を実行するためのキーガイドとタッチアイコンを兼ねた転送実行キーガイドも表示されていない。
【００４４】
図４（ｂ）は転送する画像が１つ以上選択されている場合で、画像全体を表示している場合の表示例である。チェックボックス４０２はチェック入の時のチェックボックスの表示例であり、チェックマークを表示することで、表示されている画像が転送する画像として選択されていることを表している。また、転送される画像として選択された画像が１つ以上あるため、転送を実行するためのキーガイドとタッチアイコンを兼ねた転送実行キーガイド４０３が表示されている。転送の実行は、転送実行キーガイド４０３へのタッチ操作でも物理ボタン操作でも行える。転送実行キーガイド４０３に含まれるＯＫオブジェクトは、転送実行キーガイド４０３が転送の実行の操作を受付けるタッチアイコンであること、及び転送の実行の操作を行う操作部材に関するガイドであることを表している。
【００４５】
このとき左右ボタンを押下すると、前後の画像への画像送りが行われ、他の画像を転送される画像として選択することや、複数の画像を選択することができる。
【００４６】
図４（ｃ）は転送する画像が１つ以上選択されている場合で、画像の一部範囲を拡大表示している場合の表示例である。選択された画像があるため、転送を実行するためのキーガイドとタッチアイコンを兼ねた転送実行キーガイド４０４が表示されている。転送実行キーガイド４０４に含まれるＯＫオブジェクトは、転送実行キーガイド４０３が転送の実行の操作を受付けるタッチアイコンであること、及び転送の実行の操作を行う操作部材に関するガイドであることを表している。転送の実行は、転送実行キーガイド４０４へのタッチ操作では可能だが、物理ボタンである上ボタンの操作では行えない。画像を拡大表示している場合、上下左右ボタンを操作すると拡大位置の移動（表示している画像の範囲の変更）を行うので、上ボタンには拡大表示範囲を画像の上のほうに移動する機能が割り当てられている。そのため、拡大表示中に上ボタンの押下で転送の実行を行うことができないためである。タッチ操作では転送実行キーガイド４０４をタッチできるので、転送実行キーガイド４０４へのタッチ操作により転送の実行を行うことができる。
【００４７】
図５と図６に、転送画像選択処理のフローチャートを示す。この処理は、不揮発性メモリ５６に記録されたプログラムをシステムメモリ５２に展開し、システム制御部５０が実行することにより実現する。図５は画像全体を表示している場合のもので、図６は画像の一部を拡大表示している場合のものである。
【００４８】
まず図５について説明する。
【００４９】
Ｓ５０１では、システム制御部５０は、記録媒体２００からＮ番目の画像データを読み込む。
【００５０】
Ｓ５０２では、システム制御部５０は、Ｓ５０１で読み込んだ画像データを表示部２８にフルスクリーン表示する。ここでいうフルスクリーン表示は、画像の全体が表示部２８の表示領域に収まる最大のサイズでの表示である。
【００５１】
Ｓ５０３では、システム制御部５０は、システムメモリ５２から、表示しているＮ番目の画像が転送対象か否かを示す情報を読み込む。
【００５２】
Ｓ５０４では、システム制御部５０は、Ｓ５０４で読みこんだ情報から、表示しているＮ番目の画像が転送対象か否かを判定する。転送対象の画像ならばＳ５０５に進み、そうでない場合はＳ５０６に進む。
【００５３】
Ｓ５０５では、システム制御部５０は、チェックマークを表示していない状態のチェックボックス４０１を表示する。この結果、図４（ａ）に示した表示例のような表示となる。
【００５４】
Ｓ５０６では、システム制御部５０は、チェックマークを表示した状態のチェックボックス４０２を表示する。この結果、図４（ｂ）に示した表示例のような表示となる。なお、転送実行キーガイド４０３については後述するＳ５１０で表示される。
【００５５】
Ｓ５０７では、システム制御部５０は、ＳＥＴボタン７５が押されたかどうか判定し、押された場合はＳ５０８に進み、押されていない場合はＳ５０９に進む。
【００５６】
Ｓ５０８では、Ｓ５０３で読み込んだ設定とは逆の設定に変更し、変更した設定を示す情報をＮ番目の画像と対応付けてシステムメモリ５２に記録し。Ｓ５０３に進む。
【００５７】
Ｓ５０９では、システム制御部５０は、システムメモリ５２に保持された、各画像に関する転送対象か否かを示す情報に基づいて、転送対象の画像が１画像以上あるか否かを判定し、１画像以上ある場合はＳ５１０に進み、１画像もない場合はＳ５１３に進む。
【００５８】
Ｓ５１０では、システム制御部５０は転送実行キーガイドとタッチアイコンを兼ねた転送実行キーガイド４０３をタッチ操作も物理ボタン操作も有効な場合の図３（ｃ）で説明した表示形式で表示し、Ｓ５１１に進む。
【００５９】
Ｓ５１１では、システム制御部５０は、表示された転送実行キーガイド４０３（転送実行キーガイドでもあるタッチアイコン）に対するタッチ操作があったか否かを判定する。より詳しくは、転送実行キーガイド４０３に対するタッチダウンがあり、タッチ位置が転送実行キーガイド４０３の表示範囲から出ずにタッチアップされたか否かを判定する。タッチ操作があった場合はＳ５１７に進み、タッチされない場合はＳ５１２に進む。
【００６０】
Ｓ５１２では、システム制御部５０は、転送実行キーガイド４０３内に表示されたオブジェクトが示す物理ボタンである、上ボタンが押されたか否かを判定する。上ボタンが押された場合はＳ５１７に進み、押されない場合はＳ５１４に進む。
【００６１】
Ｓ５１３では、システム制御部５０は、転送実行キーガイド４０３を非表示にし、Ｓ５１４に進む。
【００６２】
Ｓ５１４では、システム制御部５０は、左右ボタンが押されたかどうかを判定し、押された場合Ｓ５１６に進み、押されない場合Ｓ５１５に進む。
【００６３】
Ｓ５１５では、システム制御部５０は、タッチ操作であるピンチアウト操作が行われたか否かを判定する。ピンチアウト操作があった場合、図６のフローチャートのＳ６０１に進み、ピンチアウト操作がない場合、Ｓ５０７に進む。
【００６４】
Ｓ５１６では、システム制御部５０は、左右ボタンの押下に応じて表示すべき画像を示す画像番号Ｎをインクリメントまたはディクリメントし、Ｓ５０１に進む。
【００６５】
Ｓ５１７では、システムメモリ５２に保持された、各画像に関する転送対象か否かを示す情報によって転送対象となっている画像を外部装置に転送する転送処理を行い、転送画像選択処理を終了する。
【００６６】
続いて図６について説明する。
【００６７】
Ｓ６０１では、システム制御部５０は、ピンチアウト操作に応じた画像の拡大倍率を読み込み、Ｓ６０２で読み込んだ倍率で画像を拡大表示する。
【００６８】
Ｓ６０３からＳ６０９は、Ｓ５０３からＳ５０９と同じ処理なので説明を省略する。
【００６９】
Ｓ６１０では、システム制御部５０は、転送実行キーガイド４０４をタッチ操作は有効、物理ボタン操作は無効な場合の表示形式（表示形態）で表示する。図４（ｃ）は、このときの表示例である。物理ボタンである上ボタンは、画像を拡大表示中は画像の拡大位置の移動に使用するため、上ボタンを押すことで転送実行を行えない。そのため、転送実行キーガイド４０４に表示された上ボタンオブジェクトはグレーアウトしている。タッチ操作では転送実行キーガイド４０４をタッチすることはできるのでタッチ操作は有効な表示を行う。なお、このグレーアウトした上ボタンオブジェクトの表示範囲も、転送実行キーガイド４０４へのタッチ操作の反応領域としては有効である。すなわち、グレーアウトした上ボタンオブジェクトにタッチダウンしてタッチアップしても、選択画像の転送が実行される。従って、上ボタンでの転送実行の機能が無効であることを示しながらも、タッチ操作での転送実行の指示を受け付ける領域は狭くならず、タッチ操作による転送実行の操作性は損なわれない。
【００７０】
Ｓ６１１では、システム制御部５０は、転送実行キーガイド４０４にタッチされたかどうかを判断し、タッチされた場合はＳ６１７に進み、タッチされない場合はＳ６１３に進む。
【００７１】
Ｓ６１２では、システム制御部５０は、転送実行キーガイド４０４を非表示にし、Ｓ６１３に進む。
【００７２】
Ｓ６１３では、システム制御部５０は、十字キー７４に含まれる上ボタン、下ボタン、左ボタン、右ボタンの何れかが押されたかどうかを判断し、押された場合Ｓ６１６に進み、押されない場合Ｓ６１４に進む。
【００７３】
Ｓ６１４では、システム制御部５０は、タッチ操作であるピンチアウト操作またはピンチイン操作が行われたか否かを判定する。ピンチアウト操作またはピンチイン操作がある場合、拡大倍率を変更しＳ６１５に進み、ピンチアウト操作もピンチイン操作もない場合、Ｓ６０７に進む。
【００７４】
Ｓ６１５では、システム制御部５０は、拡大倍率の変更により拡大表示が終了したかどうかを判断し、拡大表示を終了する場合、図５のＳ５０３に進み、拡大表示を終了しない場合Ｓ６０１に進む。ピンチイン操作によって拡大倍率を所定倍率以下とされる操作があると、拡大表示を終了してシングル表示（全画面表示）に戻るものとする。
【００７５】
Ｓ６１６では、システム制御部５０は、画像の拡大位置を変更しＳ６０７に進む。このとき、特に上ボタンが最初に押された場合、または連続的に押された場合には、「画像拡大表示中は上ボタンで転送実行できません」のようなガイダンスを表示してもよい。また、上ボタンで拡大位置を移動した後は、転送実行キーガイド４０４のうち、上ボタンの表示オブジェクトである上ボタンオブ得ジェクトのみ非表示にしてもよい。このとき、転送実行キーガイド４０４の面積は変更しない。
【００７６】
Ｓ６１７では、システム制御部５０は、選択された画像について転送処理を行い、転送画像選択処理を終了する。
【００７７】
以上説明した本実施形態によれば、特定の機能の実行をする操作として、物理ボタンによる操作は無効だが、タッチ操作が有効な場合、タッチ操作のみ有効であることを表現できる。従ってユーザーは特定の機能を実行する操作として有効なもの、及び現在無効であるが他の状態であれば利用できる操作方法とを識別して快適に操作することができる。
【００７８】
なお、システム制御部５０の制御は１つのハードウェアが行ってもよいし、複数のハードウェアが処理を分担することで、装置全体の制御を行ってもよい。
【００７９】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８０】
また、上述した実施形態においては、本発明をデジタルカメラ１００に適用した場合を例にして説明したが、これはこの例に限定されず、タッチパネルと、タッチパネルとは異なる操作部材によって操作可能な表示制御装置（電子機器）であれば適用可能である。すなわち、本発明はパーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。
【００８１】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
2014235506.tif 000003
【図２】
2014235506.tif 000004
【図３】
2014235506.tif 000005
【図４】
2014235506.tif 000006
【図５】
2014235506.tif 000007
【図６】
2014235506.tif 000008